(57)【要約】      （修正有）【課題】車両のコンソールボックスで、上部にものを物を置くことのできるテーブルとして側部の座席や後方の座席から多くの用品を、見やすく取り扱いやすい位置に置くことのできる車両用コンソールボックスを提供する。【解決手段】車両用コンソールボックスの上部をスライド方式のテーブルとして、用品を車両の走行中に上部に置いても落ちないように保持できる凹みのある形状とし、車両の前方向にスライドさせることで、側部の座席からも上に載せた用品も見やすく取り扱いやすくでき、また、後方にスライドさせることで後方の座席からもショルダータイプのシートベルトをしたまま着座姿勢を変えること無くテーブルに置いた用品を取り扱えることができる。車両への乗降時など邪魔になる場合は、邪魔にならない通常の位置に戻すことができる。【選択図】図３
0003124562.tif 000002
【実用新案登録請求の範囲】
【請求項１】
車両の座席側部に設けられる車両用コンソールボックスであって、コンソールボックス本体と上部テーブルで構成し、前記車両に固定されたコンソールボックス本体の上部に取付けられたスライドレール固定部とレール部をスライドするスライド片に取付けられたテーブルが前記車両前後方向にスライド可能に設置したことを特徴とする車両用コンソールボックス。
【請求項２】
前記コンソールボックスにおいて上部テーブルにドリンクや小物類が落ちないように保持できる凹みを備えたことを特徴とする請求項１記載の車両用コンソールボックス。
【考案の詳細な説明】
【考案の詳細な説明】
【技術分野】
【０００１】  本考案は、車両の座席側部に設けられる車両用コンソールボックス本体と上部テーブルで構成し、車両に固定されたコンソールボックス本体の上部に取付けられたスライドするテーブル上にドリンク類や小物類を落ちないよう置くことができ、車両前方向にスライドすることで側部に設置された座席からも取りやすく、また、車両後方にスライドすることで車両後方に他の座席が配置された車両においてもテーブル上に置いたドリンク類や小物類を取りやすくした車両用コンソールボックスに関する。
【背景技術】
【０００２】  従来この種の車両用コンソールボックスは、上部を肘掛けとして肘をおいても痛く無いよう凸凹の無い上方向に膨らみのある形状になっていて、上面に物は置けない形状になっている。また、前記肘掛け部は下部のボックスの蓋としての役目もしていて、通常は車両後方がヒンジとなって回転させて、ボックス内に収納した物を出し入れできるようになっている。
【考案が解決しようとする課題】
【０００３】  しかしながら、近年車両サイズの拡大に伴い、シート座面位置の高さや幅の拡大、またシート自体に折畳み式の肘の付いたものも多くなり、肘掛けとしての機能は必要無いコンソールボックスが求められるようになってきている。
【０００４】  また、座席側部に設けられたコンソールボックス後方にドリンクホルダーや小物入れが設置されたものも存在するが、後部座席に着座しての取扱いは困難で上体を起こして着座姿勢を変えて取扱う必要がる。また、今後後部座席も前席と同様のショルダータイプのシートベルト着用義務の法律化も検討されていて、シートベルトをしたまま取扱わなければいけなくなる状況である。
【課題を解決するための手段】
【０００５】  本考案は、コンソールボックスの上部をテーブルとして使えるように上方向の膨らみを無くし、車両走行中の振動で上に乗せたドリンクや小物が落ちないように保持できる数種類の凹みを設けた。
【０００６】  また、本考案は、車両の前後方向に上部のテーブルがスライドできるようにして、側部の座席からも前方にスライドすることでテーブル上のドリンクや小物が扱いやすく、また後方にスライドすることで、後方の座席からも上体を起こすこと無くシートベルトを着用した着座姿勢のままでテーブル上のドリンクや小物が簡単に取扱えるようにした。
【実施例】
【０００７】  本考案の車両用コンソールボックス１０は図１、図２に示すように車両の座席側部の床部に固定する下部ボックス１１とその上部に設置する上部テーブル２０から構成される。【０００８】  床面に固定する下部ボックス１１には、図１、図２に示すように車両前方側にドリンクホルダー１２と回転式収納ボックス１４が設けてある。また、車両後方側には、引出し式収納部１８と回転式収納ボックス１７が設けてある。【０００９】  また、図１、図２に示すように上部テーブル２０には、上面の中央部に大きめの用品の入る収納トレー２１が設けてあり、車両の前後方向の両端にはドリンクホルダー２２とタバコや携帯電話などの収納に便利な長方形ホルダー２３が、それぞれ設けてある。【００１０】  次に、図３に示すように下部ボックス１１の上部に取付けられた固定側スライドレール３１を上部テーブル２０の下面に取付けられたスライド側レール３２が車両の前方向にスライドすることにより、下部ボックス１１の前方に設けた切り欠き部１５をスライド側レール３２が通り上部テーブル２０全体が前方にスライドする。【００１１】  また、図４に示すように下部ボックス１１の上部に取付けられた固定側スライドレール３１を上部テーブル２０の下面に取付けられたスライド側レール３２が車両の後方向にスライドすることにより、下部ボックス１１の後方に設けた切り欠き部１６をスライド側レール３２が通り上部テーブル２０全体が後方にスライドする。【００１２】  図５は車両の座席４１の側部に車両用コンソールボックス１０が取付けられた様子を示し、車両用コンソールボックス１０の上部テーブル２０の位置は前後にスライドしていない図１及び図２の状態である。【００１３】  図６は車両用コンソールボックス１０の上部テーブル２０を、車両の前方向へスライドさせた状態を示し、車両用コンソールボックス１０が図３の状態であり、上部テーブル２０の上面に置かれた用品を座席４１から取扱いやすい状態にした時の上部テーブル２０の位置である。【００１４】  図７は車両用コンソールボックス１０の上部テーブル２０を、車両の後方向へスライドさせた状態を示し、車両用コンソールボックス１０が図４の状態であり、上部テーブル２０の上面に置かれた用品を車両後方の座席４２から取扱いやすい状態にした時の上部テーブル２０の位置である。
【考案の効果】
【００１５】  以上のように、請求項１記載の考案によれば、コンソールボックスの上部を車両の前後方向にスライドするテーブルにすることで、前方にスライドすれば、側部の座席から多くの用品を見やすく取扱いやすい位置に置くことができ、また、後方にスライドすることで、後方の座席から着座姿勢を変えること無くシートベルトをしたままで取扱いやすいテーブルとして使用できる車両用コンソールボックスを提供することができる。
【００１６】  また、請求項２記載の考案によれば、上部テーブルにおいて、上部テーブル上に置いたものが車両などの揺れで落ちないように保持できる凹みを設けてあり、走行中も安心してテーブルとして使用することができる。
【図面の簡単な説明】
【００１７】
【図１】本考案に係わる車両用コンソールボックスの通常状態前斜視図。
【図２】本考案に係わる車両用コンソールボックスの通常状態後斜視図。
【図３】本考案に係わる車両用コンソールボックスの前方スライド状態前斜視図。
【図４】本考案に係わる車両用コンソールボックスの後方スライド状態後斜視図。
【図５】本考案に係わる車両用コンソールボックスの車両設置状態平面図。
【図６】本考案に係わる車両用コンソールボックスの車両設置前方スライド状態平面図。
【図７】本考案に係わる車両用コンソールボックスの車両設置後方スライド状態平面図。
【符号の説明】
１０・・・車両用コンソールボックス      １１・・・下部ボックス      ２０・・・上部テーブル      ２１・・・収納トレー      ２２・・・ドリンクホルダー      ２３・・・長方形ホルダー      ３１・・・固定側スライドレール      ３２・・・スライド側レール      ４１・・・座席      ４２・・・後方座席
【図１】
0003124562.tif 000003
【図２】
0003124562.tif 000004
【図３】
0003124562.tif 000005
【図４】
0003124562.tif 000006
【図５】
0003124562.tif 000007
【図６】
0003124562.tif 000008
【図７】
0003124562.tif 000009